(57)【要約】  （i）（ａ）ある人の識別、（ｂ）ある対象地、および、（ｃ）その人が前記対象地に居ることが期待される対象時刻を、示す第１のデータを受け取り、（ii）その人に関する第２のデータを受け取るために、前記識別に基づき、データベースに問い合わせし、（iii）前記第２のデータにコンテンツをマッチングさせ、（iv）前記対象時刻および前記対象地に基づく配達時刻に配達場所へ、前記コンテンツの配達を開始する、方法を有する、コンテンツを目標に向かって配達する、コンピュータで実現する方法。
2008546074.tif 000002
【特許請求の範囲】
【請求項１】
（ａ）ある人の識別、（ｂ）ある対象地、および、（ｃ）その人が前記対象地に居ることが期待される対象時刻を、示す第１のデータを受け取り、
その人に関する第２のデータを受け取るために、前記識別に基づき、データベースに問い合わせし、
前記第２のデータにコンテンツをマッチングさせ、
前記対象時刻および前記対象地に基づく配達時刻に配達場所へ、前記コンテンツの配達を開始する、
ことを特徴とするコンピュータに実装された方法。
【請求項２】
前記配達地が前記対象地であり、前記配達時刻が前記対象時刻である、請求項１記載の方法。
【請求項３】
前記配達地が前記対象地以外であり、前記配達時刻が前記対象時刻以外である、請求項１記載の方法。
【請求項４】
前記人の前記識別が、（ａ）前記人の名前と（ｂ）前記人に関連する属性との組み合わせによって識別される、請求項１記載の方法。
【請求項５】
前記属性が、郵便住所、電話番号、アカウント番号、電子メール・アドレス、およびパスワードの組み合わせによって示される、請求項４記載の方法。
【請求項６】
前記コンテンツが、電子的フォーマットおよび物としての形式から成るグループの中から選択される形式の中にある、請求項１記載の方法。
【請求項７】
前記第１のデータが、前記人が前記対象時刻に前記対象場所に居る目的も示し、そして、前記マッチングが前記目的に基づくものでもある、請求項１記載の方法。
【請求項８】
前記対象地が飛行機の座席である、請求項１記載の方法。
【請求項９】
前記配達が、（ａ）前記コンテンツを前記配達地に存在するユーザ・インターフェイスに送ること、（ｂ）前記コンテンツを前記配達地にデリバリー・サービスを介して配達すること、（ｃ）前記配達地に前記コンテンツを紹介するパーティーを有すること、から成るグループの中から選択される行為を有する、請求項１記載の方法。
【請求項１０】
前記第１のデータが前記人によって示され、前記対象地が前記人が居る現在の場所であり、前記対象時刻が現在時刻である、請求項１記載の方法。
【請求項１１】
前記対象地が時刻とともに変化する、請求項１記載の方法。
【請求項１２】
前記対象地が、通信ネットワークに接続され、前記通信ネットワーク上で前記コンテンツを受け取るための電子的アドレスを有している電子装置を含む、請求項１記載の方法。
【請求項１３】
（ａ）ある人の識別、（ｂ）ある対象地、および、（ｃ）その人が前記対象地に居ることが期待される対象時刻を、示す第１のデータを受け取るモジュールと、
その人に関する第２のデータを受け取るために、前記識別に基づき、データベースに問い合わせするモジュールと、
前記第２のデータにコンテンツをマッチングさせるモジュールと、
前記対象時刻および前記対象地に基づく配達時刻に配達場所へ、前記コンテンツの配達を開始するモジュールと、
を有することを特徴とする装置。
【請求項１４】
前記配達地が前記対象地であり、前記配達時刻が前記対象時刻である、請求項１３記載の装置。
【請求項１５】
前記配達地が前記対象地以外であり、前記配達時刻が前記対象時刻以外である、請求項１３記載の装置。
【請求項１６】
前記人の前記識別が、（ａ）前記人の名前と（ｂ）前記人に関連する属性との組み合わせによって識別される、請求項１３記載の装置。
【請求項１７】
前記属性が、郵便住所、電話番号、アカウント番号、電子メール・アドレス、およびパスワードの組み合わせによって示される、請求項１６記載の装置。
【請求項１８】
前記コンテンツが、電子的フォーマットおよび物としての形式から成るグループの中から選択される形式の中にある、請求項１３記載の装置。
【請求項１９】
前記第１のデータが、前記人が前記対象時刻に前記対象場所に居る目的も示し、そして、前記マッチングが前記目的に基づくものでもある、請求項１３記載の装置。
【請求項２０】
前記対象地が飛行機の座席である、請求項１３記載の装置。
【請求項２１】
前記配達が、（ａ）前記コンテンツを前記配達地に存在するユーザ・インターフェイスに送ること、（ｂ）前記コンテンツを前記配達地にデリバリー・サービスを介して配達すること、（ｃ）前記配達地に前記コンテンツを紹介するパーティーを有すること、から成るグループの中から選択される行為を有する、請求項１３記載の装置。
【請求項２２】
前記第１のデータが前記人によって示され、前記対象地が前記人が居る現在の場所であり、前記対象時刻が現在時刻である、請求項１３記載の装置。
【請求項２３】
前記対象地が時刻とともに変化する、請求項１３記載の装置。
【請求項２４】
前記対象地が、通信ネットワークに接続され、前記通信ネットワーク上で前記コンテンツを受け取るための電子的アドレスを有している電子装置を含む、請求項１３記載の装置。
【請求項２５】
（ａ）ある人の識別、（ｂ）ある対象地、および、（ｃ）その人が前記対象地に居ることが期待される対象時刻を、示す第１のデータを受け取るようにプロセッサーを制御させるためのプルグラム指示と、
その人に関する第２のデータを受け取るために、前記識別に基づき、データベースに問い合わせするようにプロセッサーを制御させるプルグラム指示と、
前記第２のデータにコンテンツをマッチングさせるようにプロセッサーを制御させるプルグラム指示と、
前記対象時刻および前記対象地に基づく配達時刻に配達場所へ、前記コンテンツの配達を開始させるようにプロセッサーを制御させるプルグラム指示と、
を有する、ことを特徴とする記録媒体。
【発明の詳細な説明】
【技術分野】
【０００１】
本発明は、目標の受取手に対するコンテンツの配達に関する、特に、特定の時間の特定の場所に存在することが期待される目標の受取手に関する知識に基づいた配達に関する。
【０００２】
量販市場の広告において、広告主は、広告を大衆の視聴者（ａｕｄｉｅｎｃｅ：閲覧者も含む）に向かって、次のような希望の基に、すなわち、広告主がその広告を届けたいメンバー、つまり、目標とされる受取手が、当該大衆視聴者の一員であるという希望の基に、配達する。大衆広告の典型例としては、新聞広告、ビルボード、ラジオ広告、そしてテレビコマーシャルなどがある。量販広告は、個人的勧誘（例えば、電話による勧誘）、マス・メール、あるいは、インターネット経由、例えば、電子メール勧誘又はポップアップ広告などの形式としても存在する。
【０００３】
典型的には、目標の受け手とは、広告によって宣伝される商品あるいはサービスに興味をもつと、広告主が信じるところの、人或いはグループの人々、若しくは、広告主が商品やサービスを紹介したいとする、人或いはグループの人々のことである。量販広告において、広告主は、広告を特定の広告の場に、例えば、或る特定の新聞に、その特定の場の視聴者の集合的な人口学的プロファイルに基づき、広告を直接掲載したい。しかし、目標の受け手が、その視聴者の一員であったとしても、そのような広告は、その視聴者の中の如何なる特定のメンバーにとってもカスタマイズされたものでもないし、目標とする受け手にとっても同じくカスタマイズされたものでもない。したがって、量販市場においては、いずれにせよ、目標の受け手とは、他の無名の目標とする受け手と、いくつかの人口学的特性をたまたま共有する無名の目標とする受け手のことである。
【０００４】
一対一の広告は、広告主が目標の受け手に対し特定の広告を特定して配達するテクニックである。一対一の広告は、それが適切に採用されたときは、広告主にとっても視聴者にとっても両方に利点がある。広告主にとっての利点とは、広告費が、興味を有する視聴者に通知あるいは説得するために使用され、それ故、興味のないグループには無駄に使用されないからである。目標の顧客にとっての利点とは、興味のある、または興味があるかもしれない情報を受け取れるからである。一対一の広告は、また、目標とされない人達にも利点がある。なぜなら、そのような人達は、その他の歓迎されない勧誘、歓迎されないジャンク郵便、歓迎されない電子メールあるいは望みもしないポップアップ広告によって悩まされないからである。このような利点から見れば、一対一の広告は、多くの広告主からは量販広告より効果的であると思われ、また、視聴者からは、量販広告と比較して、より好ましいものであり、より非侵略的であると思われている。
【０００５】
成功する一対一広告とは、少なくとも部分的には、特定の目標とされる受け手が存在することを知っていることに基づき、かつ、その目標とされる受け手に対し適切な広告を合わせることに基づいているべきである。かように、一般的には、広告主は、目標の受け手の存在に対する如何なる洞察も歓迎するであろうし、また、その目標の受け手が興味をもつ広告を識別することに関する手助けに対しても歓迎するであろう。
【０００６】
発明の概要
目標を定めたコンテンツの配達のための、コンピュータを備えた方法が提供される。本方法は、（ｉ）（ａ）ある人の識別、（ｂ）ある対象地、および、（ｃ）その人が、その対象地に居ることが期待される対象時刻、を示す第１のデータを受け取り、（ii）その人に関する第２のデータを受け取るために、その識別に基づきデータベースに問い合わせし、（iii）その第２のデータにコンテンツをマッチングさせ、（iv）前記対象地および前記対象時刻に基づく配達時刻および配達場所へ、そのコンテンツの配達を開始する、ことを含む方法である。
【０００７】
この方法の技術的効果は、ある人に関するデータを受け取るために、そのデータにコンテンツをマッチさせるために、その人が或る特定の時間に或る特定の場所に居ることが期待できる知識に基づき前記コンテンツの配達を起動するために、データベースを使用することである。
【０００８】
図面の簡単な説明
図１は、目標とする受け手に目的のコンテンツを配達するために提供されるシステムのブロックダイアグラムである。
【０００９】
図２は、目標とする受け手に目的のコンテンツを配達するために提供される別のシステムのブロックダイアグラムである。
【００１０】
発明の説明
ここに記載される技術は、目標とする受け手にコンテンツを配達することを含んでいる。この技術は広告のようなコンテンツに特に適しているが、ニュース、エンターテイメント、例えば、映画、ゲーム、更に一般的には、受け手が興味を持つかもしれない如何なるタイプの情報などの他のタイプのコンテンツにも適している。
【００１１】
この技術は、目標とする受取手がある特定の時間に或る特定の場所に居るであろうという情報を利用している。受取手が拘束されているという条件も参照される。そのような情報は、例えば、予約システムから直接入手できるし、間接的には予約システムとリンクして交信している他のデータベースからも入手できる。目標の受け手に関する付加的な情報が他のデータベースから入手され、その付加的な情報に基づき、適切なコンテンツが選択され、目標の受け手に配達される。配達時間は、目標の受け手がサービスを受け利用するための特定の時間で特定の場所に居るつもりである先ほどの情報に基づいている。そのサービスは、目標の受け手が前もって契約した又は予約してあった、あるいは現在契約している又は予約しているサービスである。
【００１２】
選択は、類似する又は同一の属性を有する記録を識別し、それらに新しいデータセットを結合する、若しくは、或るデータセットからの属性を他のデータセットの記録に添付するところのプロセスである。例：名前と住所がインターフェイスからデータ会社に供給される。データ会社はデータ会社のデータベースの中の記録と、同じ又は類似の名前および住所に関するマッチングの処理をする。データ会社は、１以上のデータ属性（例えば、性別または収入レベル）を添付し、そのインターフェイスに添付記録を返す。他の例としては、名前と住所がデータ会社に供給され、データ会社は追加の属性を有する記録を識別する処理をする。データ会社は、１つ以上の属性によって、識別された記録をグループ化し、年令のような新しいデータセットを作成しうる。
【００１３】
図１は、目標コンテンツ配達システム（ＴＣＤＳ）のブロックダイアグラム、すなわち、目標とする受け手に目的のコンテンツを配達するために提供されるシステム１００のブロックダイアグラムである。システム１００は、予約システム１０５，プロセッサー１１０，データベース１３５，データベース１４０および配達コーディネーター１４５を有している。
【００１４】
予約システム１０５は、（ａ）ある人物、すなわち、目標とする受け手の識別、（ｂ）対象場所、および（ｃ）その人物がその対象場所に居ることが期待される対象時刻を含んでいる。予約システム１０５は、このデータを提供してくれる如何なるシステムであってよい。例えば、ジョン・ドウ（Ｊｏｈｎ  Ｄｏｅ）が２００５年１２月１日、午前１０：００に根冠のためにその歯科病院に居る予定であることを示す歯科病院の予約システムのことである。以下に記載の実施例の目的のために、予約システム１０５は飛行機の予約システムであると仮定する。
【００１５】
好ましくは、その人の識別は、その人の名前およびその人に関係する属性、例えば、郵便住所、電話番号、口座番号、電子メール・アドレス又はパスワードを用いて識別される。そのデータは、その人が対象場所に対象時刻に居る目的、例えば、ビジネスあるいはレジャーなどを示すものであってもよい。
【００１６】
データベース１３５はその人に関する追加の情報を有している。そのような情報は、例えば、その人の年令、その人の話す言語、その人の健康状態、その人の好む音楽のタイプ、その人がメンバーとなっている団体、そして、その人が過去３年間に泊まったホテルなどを示すものである。
【００１７】
データベース１４０は、コンテンツのデータベースである。上述したように、一般的に、コンテンツは、目標とされる受け手が興味を示すかもしれない如何なるタイプの情報でありうる。しかし、ここでは実施例の目的に合わせ、データベース１４０は、色々な都市における当地の演奏、その都市における色々なビジネスの情報、そして音楽レコードに関する情報を有していると仮定する。
【００１８】
配達コーディネーター１４５は、目標の受け手に対するコンテンツの配達のコーディネートをする。配達は、電子配信、配達人による配達、または、配達場所においてコンテンツをプレゼンテーションする人を有するなどの形がありうる。そして、配達されるとき、コンテンツは、電子形式、例えば、インターネット経由の配信、あるいは物としての形式、例えば、パンフレットなどである。
【００１９】
プロセッサー１１０はコンピュータプロセッサーである。そのようなものとして、プロセッサーは、汎用のマイクロコンピュータ、例えば、サンマイクロシステム（商標）のコンピュータファミリーやＩＢＭ（商標）パーソナルコンピュータファミリーなどのコンピュータに装着されている。プロセッサー１１０は、データを記憶するためや、プロセッサー１１０の操作を制御する手順を記憶するための関連メモリ１１２を有しており、そのうえ、特に、プログラム・モジュール１１５，１２０，１２５，そして１３０を有している。「モジュール」という用語は、ここでは、単独（スタンドアローン）型コンピュータとして、又は、複数の下位コンポーネントの集合体として具現化される機能操作を示すものとして用いている。
【００２０】
プログラム・モジュール１１５は、（ａ）ある人物を識別し、（ｂ）対象場所（ｓｕｂｊｅｃｔ  ｌｏｃａｔｉｏｎ）、および（ｃ）その人物が、その対象場所に存在することが期待される対象時刻（ｓｕｂｊｅｃｔ  ｔｉｍｅ）を示すデータを予約システム１０５から受け取るように、プロセッサー１１５を制御するための手順を有している。例えば、ジョン・ドウが、２００５年１２月２日（金曜日）、午後３：００時発の、コネチカット州、ハートフォード行き、フライト便１０００，座席１０１に搭乗予定で、そして、彼がレジャーのために旅することを示すデータをプロセッサー１１０が受け取ると仮定する。
【００２１】
プログラム・モジュール１２０は、その人に関する追加のデータを得るために、その人の識別に基づき、データベース１３５に問い合わせするよう（ｑｕｅｒｙ）、プロセッサー１１０を制御するためのプログラム手順を有している。例えば、ジョン・ドウの識別データに基づき、プロセッサー１１０はデータベース１３５から次のような情報を受け取る。その情報とは、ジョン・ドウは６７歳で、英語とフランス語を話し、足は義足で、ジャズとクラシックが好きで、クラシック同好会のメンバーで、過去３年間の間に、カジノのついた５つのホテルに滞在したことがあり、それらのホテルは全て３星以上である。
【００２２】
プログラム・モジュール１２５は、プロセッサー１１０がデータベース１４０からのコンテンツをデータベース１２５から得た追加のデータにマッチさせるように、プロセッサー１１０を制御するためのプログラム指示（手順）を有している。マッチングとは、類似又は同一である属性を識別するために、１つ以上のデータベース内の記録の属性同士を自動的に比較するプロセスのことである。一例としては、あるデータ・フィールドとしてその属性を有する記録を識別する、ブラウン（ｂｒｏｗｎ）に関するキーボード・サーチのことである。予約システム１０５からのデータがその人がその対象地にその対象時刻に居る目的を示している場合、マッチングもまたその目的に基づいている。例えば、プロセッサー１１０は、ジョン・ドウに関する追加の情報を、２００５年１２月３日（土曜日）に生のジャズ演奏又はクラシック演奏が行われる、コネチカット、ハートフォードの３つの会場のリストにマッチングさせる。それらの会場のうち２つは、身障者がアクセス可能な高級レストランであり、３番目の会場はシニア年令者には割引があるが、身障者のアクセスは可能でない。プロセッサー１１０は、また、データベース１３５からの追加のデータに基づいて、複数のコンテンツ・アイテムを生み出すように、追加のマッチングを行う。この点で、プロセッサー１１０は、追加の情報を、フランス語の音楽レコードのリストに対し、又は対話型ギャンブル・サイトのリストに対するマッチングもまた行う。
【００２３】
プログラム１３０は、プロセッサー１１０が予約システム１０５から受け取った対象時刻および対象地に基づき、そのコンテンツを配達時刻に配達場所に、プロセッサー１１０が配達を開始するように制御するためのプログラム手順を有している。例えば、フライト１０００，座席１０１は、それにともなって、対話型ビデオディスプレイのような電子式ユーザ・インターフェイスを備えていると仮定する。プロセッサー１１０は、配達コーディネーター１４５に、２００５年１２月３日（土曜日）、午後３時３０分に、フライト１０００の座席１０１の電子式ユーザ・インターフェイスに向かって、演奏会場のリスト、フランス語の音楽レコードのリスト、対話型ギャンブル・サイトのリストを配信するように指示する。更に、そのユーザ・インターフェイスの対話を介して、ジョン・ドウには、演奏の座席の予約する、フランス語の音楽レコードを聴く、そして、対話型ギャンブル・サイトでギャンブルをするという機会が与えられる。その他のアレンジとして、プロセッサー１１０は、配達コーディネーター１４５に対し、コンテンツのパッケージを２００５年１２月３日（土曜日）、フライト１０００の座席１０１に、フライトアテンダントのような人によって配達されるように指示する。どちらの場合も、システム１００は、ジョン・ドウのためにカスタマイズされたコンテンツを１対１で配達することを容易にしている。
【００２４】
配達コーディネーター１４５によるコンテンツの配達時間と配達場所は、プロセッサー１１０が、予約システム１０５から受け取る対象時刻および対象地とは同じ必要はないことを注意しておく。配達は、対象時刻より早いまたは遅い、そして、対象地以外の場所に配達は行われうる。１つの代替案として、プロセッサー１１０は、配達コーディネーター１４５に対し、ジョン・ドウの自宅に配達業者を介してコンテンツのパッケージを配達するように指示する。その結果、そのパッケージは、２００５年１１月２５日、すなわち、フライトの１週間前に届く。パッケージの中のコンテンツは、演奏会場のリストだけでなく、会場近くのレストランの情報やハートフォードのカー・サービスの情報であってもよい。その他に、プロセッサー１１０が、配達コーディネーター１４５に対し、２００５年１２月９日またはその付近、すなわちフライトの約１週間後に、ジョン・ドウがその演奏会のどれかに出席したかどうかについて、彼のフィードバックを求めて、彼に電子メールを送るように、指示する。
【００２５】
ある人物が自分を識別させるデータを提供する行為を、ここでは自己宣言として言及しておく。すなわち、ジョン・ドウは、自分識別、（ｂ）対象地、および（ｃ）自分が、その対象地に居るであろうことが期待される対象時刻を示すデータを提供するとき、彼は自己宣言している。また、彼が対象地に対象時刻に着いて、そして自己を識別したとき、これも彼が自己宣言をしている。
【００２６】
ジョン・ドウが現在あるターミナル（図時しない）にいると仮定する。そのようなターミナルは空港または飛行機上であってもよい。自己宣言が発生する、少なくとも２つの事態がある。第１は、目標コンテンツ配達システム（ＴＤＣＳ）が認識する既知の乗客が誤った座席に座った場合である。第２に、その人がＴＣＤＳにとって未知の人である。どちらかの場合、システムはその乗客から情報を得ようとする。これが自己宣言である。そこで、ジョン・ドウ自身が、自己の識別、（ｂ）対象地、そして（ｃ）自分がその対象地に居ると期待される対象時刻を示すデータを提供する。
【００２７】
更に、対象地は移動しない場所である必要はない。すなわち、場所は時間とともに変わってもよい。これは特に対象地が飛行機の座席である場合が証明している。座席は飛行機に対しては移動しないが、飛行機の位置、したがって、座席の位置は時間とともに移動する。
【００２８】
プログラム・モジュール１１５，１２０，１２５，そして１３０はメモリ１１２にすでにロードされているとして示されている一方、それらは続いてメモリ１１２にロードするために記憶メデア１５０に構成されていてもよい。記憶メデア１５０は、磁気テープ、光記憶メデア、コンパクトデスク、フロッピーデスクなどの、如何なる従来の記憶メデアでありうる。他に、記憶メデア１５０は、ＲＡＭあるいは遠隔の記憶システムに設置された他のタイプの電子記憶メデアでもあり得る。
【００２９】
更に、プログラム・モジュール１１５，１２０，１２５，そして１３０は、ここでは、メモリ１１２にインストールされるとして記載されており、それゆえ、それらは、ソフトウエアとして組み込まれているが、それらは、ハードウエア、ファームウエア、ソフトウエア、あるいはそれらの組み合わせの如何なる形でも組み込まれことも可能である。
【００３０】
図２は、別のＴＤＣＳ、すなわち、システム２００のブロックダイアグラムであり、目標とする受け手に目的のコンテンツを配達するために提供される。システム２００は、データベース２０５，２１０，２１５，２２０，２２５，２３５，２４０，２４５，２５０，２５５，２６０および２６５、そして、イベント前（ｐｒｅ−ｅｖｅｎｔ）配達プロセス２７０，現地配達（ｖｅｎｕｅ）プロセス２７５，イベント後（ｐｏｓｔ−ｅｖｅｎｔ）配達プロセス２８０，および配達デバイス・プロセス２８５を有している。データベース２０５，２１０，２１５，２２０，２２５，２３５，２４０，２４５，２５０，２５５，２６０および２６５の各データベースは、各プロセッサーを操作するための関連するプロセッサー（図示しない）を有し、かつ、（i）他のデバイスとインターフェイスし、（ii）記憶し、マージし、探し（ｓｅａｒｃｈ）、取り出してくる（ｒｅｔｒｉｅｖｅ）という従来のデータベース操作を行う。システム・アドミニストレータは、全てのデータベースに対し、ルーティンのインターフェイスおよびメインテナンスを提供する。例えば、入力、出力に対するリプログラミング、オペレーション分析のためのヒューマン・インタラクション、システムセキュリティ、個々の許可や権限付与、拡張のための機構の統合、新しい機能の統合、ソフト・ハードのアップグレードも統合などである。
【００３１】
図２において、コンポーネント間のラインは、データの流れを表している。データフローは、点線で示されているフィードバックループ２９０を有している。フィードバックループ２９０は、プロセス２７０，２７５，２８０および２９０からデータベース２３５および２６５へ流れている。
【００３２】
システム２００は、１以上のコンテンツ・プロバイダー２３０Ａ〜２３０Ｎからコンテンツを受け取る。コンテンツ・プロバイダーの例として、メデアカンパニーや広告代理店などがある。コンテンツの例としては、デジタルメデア、ハードコピーメデア、ゲーム、ギャンブル、有料閲覧メデア、ハウツーもののメデア、テープに録音した本、映画、音楽などがある。
【００３３】
データベース２０５は、市場図データベースである。例えば、人口統計学的、地理学的、心理学的、生理学的、企業学的（ｆｉｒｍｏｇｒａｐｈｉｃ）、そして、遺伝子学的（ｇｅｎｏｇｒａｐｈｉｃ）のデータベースなどである。データベース２０５は、データベース２３５から、そして、データベース２１０，２２０、すなわち、データベース２００からデータを受け取る。データベース２０５は、以下に示すように実行されるが、表１に記載されたようにだけ限定されるものではない。そして、データベース２０５は、（ａ）表２に記載された人口統計学的出力、（ｂ）表３に記載された地理学的出力、（ｃ）表４に記載された心理学的出力、（ｄ）表５に記載された生理学的出力、（ｅ）表６に記載された企業学的出力、および（ｆ）表７に記載された遺伝学的出力を提供する。表１の最初に示されたビジネス・ルールは、特定の目的を実現するためにデータを使用して取るアクションを体系化する。例：広告主またはコンテンツ所有者は、ＴＣＤＳが男性乗客を識別し、特定の広告又はコンテンツをその人に配達するように、ビジネス・ルールをセットする。分割（ｓｅｇｍｅｎｔｉｎｇ）は、類似又は同一の人口学的および／又は心理学的、および／又は地理学的、および／又は生理学的、および／又は企業学的、および／又は遺伝学的特性を用いて、乗客のような、人々の大きなグループを、より小さなグループに分割する行為である。データ・クレンジング（ｃｌｅａｎｓｉｎｇ）および質改善（ｑｕａｌｉｔｙ  ｉｍｐｒｏｖｅｍｅｎｔ）とは、データベース内の正しくない又は古すぎる要素を識別し、正しくないデータや古すぎるデータを置き換えるための正しいデータを得るために、ソース源を見つけ、その行為を行う、プロセスのことをいう。このクリーニングプロセスは、データベース全体の質を向上させる。モデリングとは、ある人又は人々の或る特定の行動を識別し、そして、その特定の行為を未だ実行していない同じような一群の人々を識別するためにプロファイル・データを使用するプロセスのことである。クラスタリングとは、人々または物事の特定された類似性に基づき人々または物事をグループ分けするプロセスのことである。更に、あるクラスタにより大きな類似性を有するクラスタは、そのクラスタにあまり類似性を有さないクラスタよりも接近して、グラフィック的に又は視覚的に表示される。分類（クラシフィケーション）とは、ＴＣＤＳがプログラミングから成る特定のコンテンツまたは広告の適切な受け手として或る人または人々を特定するために、すでに完成している、選択、マッチング、分割（セグメンティング）、モデリングおよびクラスタリングの１つ又は全てを用いて一度、ある人又は人々を分類するプロセスのことである。データ・マッチングおよびデータ更新は、以前は記録の一部ではなかった、追加されたかもしれない新しいデータ要素を除いて、データ・クレンジングおよび質改善と表面的には同じである。データ・マージングは、マッチングを行った後に、あるデータベース記録からのユニークなデータを他のデータベースの類似する記録に追加するプロセスのことである。
【００３４】
【表１】
2008546074.tif 000003
【００３５】
【表２】
2008546074.tif 000004
【００３６】
【表３】
2008546074.tif 000005
【００３７】
【表４】
2008546074.tif 000006
【００３８】
【表５】
2008546074.tif 000007
【００３９】
【表６】
2008546074.tif 000008
【００４０】
【表７】
2008546074.tif 000009
【００４１】
【表８】
2008546074.tif 000010
【００４２】
表７に列記された遺伝学的出力は、ゲノム研究からの結果による分類である。年令分類に対して行ったように、遺伝子分類グループに対する製品およびサービスのマーケッティングに利用する。例えば、システム２００は、癌を防止するまたは軽減する傾向にある食物やライフスタイルに関する記事を、一生のうちに癌にかかる可能性の高い、特定の遺伝子または遺伝子群を持っている人々に提供する。
【００４３】
データベース２１０は、顧客データベース、例えば、忠実な頻度の高い顧客のデータである。データベース２１０は、データベース２０５，２１５そして２２０、すなわちデータベース２００からデータを受け取る。付加的には、データベース２１０は、外部のソースやインターフェイスから、顧客応用プロファイル、推定されたおよび明白な顧客プロファイル・データ、およびポイントや賞品に動機付けさせられた購買データなどを受け取る。データベース２１０は、表８に記載されたような作業を実行し、表９に記載された出力を提供する。
【００４４】
【表９】
2008546074.tif 000011
【００４５】
【表１０】
2008546074.tif 000012
【００４６】
データベース２１５は、外部予約システムデータベース、例えば、グローバル配達システム（ＧＤＳ）およびインターネットである。ＧＤＳは、セイバー（Ｓａｂｅｒ）、ガリレオ（Ｇａｌｉｌｅｏ）、アマデウス（Ａｍａｄｅｕｓ）、そしてワールドスパン（Ｗｏｒｌｄｓｐａｎ）を含む。Ｓａｂｅｒはセイバー会社の登録商標であり、Ｇａｌｉｌｅｏはガリレオ・インターナショナルの登録商標であり、Ａｍａｄｅｕｓはアマデウス・デベロップメントＳＡの登録商標であり、ＷｏｒｌｄｓｐａｎはワールドスパンＬＰの登録商標である。データベース２１５は、データベース２１０，２２０そして２２５から、すなわちデータベース２００からデータを受け取る。付加的には、データベース２１５は、外部ソースやインターフェイスから、ユーザの予約およびアポイントメントでデータ、予約代理店のデータ、エアラインとの契約に関連するデータを受け取る。データベース２１５は、表１０に記載の作業を実行し、乗客名簿（ＰＮＲ）データを出力する。
【００４７】
【表１１】
2008546074.tif 000013
【００４８】
データベース２２０は、他の会社やプロバイダーのシステムデータベースを代理する。データベース２２０は。データベース２１０，２１５，すなわちデータベース２００からのデータを受け取る。データベース２２０は、表１１に記載された作業を実行し、表１２に記載された出力を提供する。
【００４９】
【表１２】
2008546074.tif 000014
【００５０】
【表１３】
2008546074.tif 000015
データベース２２５は、合併した予約データのデータベースである。データベース２２５は、データベース２１５および２３５からのデータ、すなわち、データベース２００からのデータを受け取る。データベース２２５は、表１３に記載された作業を実行し、表１４に記載された出力を提供する。
【００５１】
【表１４】
2008546074.tif 000016
【００５２】
【表１５】
2008546074.tif 000017
【００５３】
【表１６】
2008546074.tif 000018
【００５４】
【表１７】
2008546074.tif 000019
【００５５】
データベース２３５は、マージ／マッチ分析データのデータベースである。データベース２３５は、（ａ）データベース２０５，２２５，２４０，２４５，２５０，２５５そして２６０からデータを受け取り、そして（ｂ）フィードバックループ２９０を介して、プロセッサー２７０，２７５，２８０そして２８５から、すなわちデータベース２００からのデータを受け取る。例えば、データベース２３５は、データベース２５０からコンテンツ属性を、データベース２２５から予約属性を、データベース２４０から顧客ビジネス・ルール、プログラミング・ルール、そしてコンテンツの属性をデータベース２６０からドキュメント・管理システム属性を、データベース２４５から事前目標データを受け取る。
コンテンツ属性は、例えば、タイプ（例えば、音楽、ビデオ、静止画）、フォーマット（例えば、ＭＰＥＧ，ＭＰＥＧ−２，ＭＰＥＧ−４，ＪＰＥＧ、．ｗａｖ、ＸＭＬ，ＨＴＭＬ）、期間（適用されるなら）、所有、価格、ビジネス・ルール、およびデジタル権利管理に関する記述である。予約属性は、データベース２１５とデータベース２２５の出力である。プログラミング・ルールは、コンテンツをどのように利用するについての指示を提供する特別なビジネス・ルールである。プログラミング・ルールは、ビジネス・ルールの一部分である。ドキュメント管理システム属性は、コンテンツに関するメタデータを有している。そのメタデータは、特に、そのコンテンツがどこにあって、いつ使用することが許されるのか、誰によって、どのくらいの頻度で、変更を含み、指示を保存し、指示を破壊すること関して焦点をあわしたメタデータであり、そして、全体のプロセスを制御するため、コンテンツに関する交信を追跡し、指示する。データベース２３５は、表１５に記載された作業を実行し、表１６に記載された出力を提供する。
【００５６】
データベース２３５の入力はつぎのようなものから成り立っている。データベース２５０からのコンテンツ属性；顧客ビジネス・ルール、プログラミング・ルールおよびデータベース２４０からのコンテンツ属性；データベース２６０からのドキュメント管理システム属性；質の応答データ、調査データおよびフィードバックループ２９０からの他のフィードバック；データベース２４０からの調整およびポリシー制限および規制。
【００５７】
【表１８】
2008546074.tif 000020
【００５８】
表１５で言及した視聴者マトリクスの例は、特定のコンテンツの提供に対し、適性試験した事前にコード化された顧客の特定グループから成り立つ表である。表１５Ａは、典型的な顧客マトリクスである。
【００５９】
【表１９】
2008546074.tif 000021
【００６０】
【表２０】
2008546074.tif 000022
【００６１】
データベース２４０は、顧客ビジネス・ルール、プログラミング・ルール、そして、コンテンツ属性のデータベースである。一般的に、データベース２４０は、システム２００が、広告主／コンテンツ所有者に対し何をするかに関係し、また、内部マーケッティング要望に対し関係する。データベース２４０は、データベース２３５からデータを受け取り、又は、システム・アドミニストレータによって直接侵入する。データベース２４０は、表１７記載の作業を実行し、表１８記載の出力を提供する。
【００６２】
【表２１】
2008546074.tif 000023
【００６３】
【表２２】
2008546074.tif 000024
【００６４】
データベース２４５は、リザーボグラフィクス（ｒｅｓｅｒｖｏｇｒａｐｈｉｃｓ）のデータベースである。一般的に、データベース２４５は、他の全てのデータベースからデータを受け取り、分析し、システム２００の性能を向上する機会があるかどうかを決定する時間に渡ってデータを保存する。データベース２４５は、システム２００全体に対するデータベース２３５の出力である全スケジュールされた暫定データのための、また、フィードバックループ２９０からの全ての暫定のための保存場所である。データベース２４５は、表１９に記載された作業を実行し、表２０に記載された出力を提供する。
【００６５】
【表２３】
2008546074.tif 000025
【００６６】
【表２４】
2008546074.tif 000026
【００６７】
データベース２５０は、コンテンツ・データベースである。データベース２５０は、データを、すなわち、コンテンツ（プログラミングおよび広告）を、コンテンツを集約している、コンテンツ・プロバイダー２３０Ａ〜２３０Ｎから、受け取る。送信又は転送は、スケジュールに基づき実行される。更に、データベース２５０は、時間、メデア、メタデータ、バンド幅、ローヤルティ、支払データ、所有日付および価格データを有するコンテンツ属性も用意する。
【００６８】
データベース２５５は、コンテンツ管理システム・データベースである。データベース２５５は、データベース２５０および２６０からデータを受けとり、処理２７０，２７５，および２８０からもデータを受け取る。更に、データベース２５５は、データベース２５０および２６０から、コンテンツ集合体および配信、タイミングおよびスケジューリング、メータデータ・タグに対する更新、フラグのロックおよびアンロック、改訂制御、安全制御、アーカイブおよび復旧命令、かつ、保存コマンドおよび指示を、受け取る。データベース２５５は、表２１に記載された作業を実行し、表２２に記載された出力を提供する。
【００６９】
【表２５】
2008546074.tif 000027
【００７０】
【表２６】
2008546074.tif 000028
【００７１】
データベース２６０は、ドキュメント管理システムデータベースである。データベース２６０は、孤立型（スタンドアローン）システム、またはサブセット型、またはデータベース２５５の統合された一部分であってもよい。データベース２６０は、データベース２３５，２５０，２５５，２６５，２７０，２７５，２８０すなわちデータベース２００からデータを受け取る。データベース２６０は、表２３に記載された作業を実行し、表２４に記載された出力を提供する。
【００７２】
【表２７】
2008546074.tif 000029
【００７３】
【表２８】
2008546074.tif 000030
【００７４】
データベース２６５は、会計システムデータベースである。データベース２６５は、他の全てのデータベースからデータを受け取る、フィードバックループ２９０を介したデータ、すなわち、データベース２００からのデータも受け取る。データベース２６５は、表２５に記載の作業を実行し、表２６に記載の出力を提供する。
【００７５】
【表２９】
2008546074.tif 000031
【００７６】
【表３０】
2008546074.tif 000032
【００７７】
データベース２２５から、データベース２３５は、（ａ）ある人物に関する識別、（ｂ）ある対象場所、そして（ｃ）その人物が、その対象場所に居ると期待される、ある対象時刻を示すデータを受け取る。それ故、データベース２３５は、（i）その人物に関する追加のデータを得るためにデータベース２０５に問い合わせし、（ii）データベース２４０および２５０からのコンテンツをその追加のデータにマッチングさせ、そして、前記対象場所および対象時刻に基づく配達場所および配達時刻に、そのコンテンツを配達するように、処理２７０，２７５および２８０に対し、促す。
【００７８】
データベース２５５および／又は処理２７０，２７５，２８０は、配達のタイミング、すなわち、先ほど述べた対象時刻に関係する、コンテンツの配達時刻を管理する。対象時刻とは、すなわち、その人がその対象場所に居ると期待される対象時刻のことである。イベント前配達処理２７０は、対象時刻前のコンテンツ配達を操作し、現地配達（ｖｅｎｕｅ）処理２７５は、対象時刻にコンテンツの配達を操作し、イベント後処理２８０は、対象時刻後に、コンテンツの配達を操作する。
【００７９】
処理２７０，２７５，２８０は、データベース２５５からそれぞれデータを受け取り、また、表２７に記載された入力を有し、表２８に記載された作業を実行し、表２９に記載された出力を提供する。これらの処理の詳細は下記に記述する。
【００８０】
【表３１】
2008546074.tif 000033
【００８１】
【表３２】
2008546074.tif 000034
【００８２】
【表３３】
2008546074.tif 000035
【００８３】
上述したように、イベント前処理２７０は、対象時刻前にコンテンツの配達を実行する。例えば、ある人が２００５年１２月２日、金曜日、午後３時にフライト１０００，座席１０１に搭乗する予定であるとすると、イベント前処理２７０はそのフライト前にその人へコンテンツを配達するように管理する。このように、表２８に記載された作業に加え、イベント前処理２７０は節目の又は特定の、電子的住所または物理的住所、または端末標識（例えば、電話番号）にコンテンツを配達できる。表２９の出力に加え、イベント前処理２７０は、郵便、電子メール、メッセンジャー、電話、無線または地上波のテレビそしてラジオのような、電子的または物理的メデアチャネルを介してコンタクトを提供できる。
【００８４】
上述したように、現地配達処理２７５は、対象時刻にコンテンツを配達するように操作する。例えば、ある人が２００５年１２月２日、金曜日、午後３時にフライト１０００，座席１０１に搭乗する予定であるとすると、現地配達処理２７５は、そのフライト中、その人にコンテンツを配達するように管理する。
【００８５】
上述したように、イベント後処理２８０は、対象時刻後にコンテンツを配達するように操作する。例えば、ある人が２００５年１２月２日、金曜日、午後３時にフライト１０００，座席１０１に搭乗する予定であるとすると、イベント後処理２８０は、そのフライト後に、その人にコンテンツを配達するよう管理する。表２８に記載した作業に加え、イベント後処理２８０は、（ａ）節目の又は特定の電子的又は物理的住所、またはターミナル標識（例えば、電話番号）にコンテンツを配達し、そして（ｂ）質指示器応答およびインターフェイスを提供する。表２９に記載された出力に加え、イベント後処理２８０は、（ａ）郵便、電子メール、メッセンジャー、電話、無線または地上波のテレビそしてラジオのような、電子的または物理的メデアチャネルを介したコンタクトを、（ｂ）質データを、（ｃ）プロファイル・データを、（ｄ）調査データを、および（ｅ）申し出受け入れデータ（申し込みを受けた者による受け入れ、に関する申し出者からのフィードバック）を提供する。
【００８６】
処理２７０，２７５，２８０のそれぞれは、フィードバックループ２９０によるフィードバックデータを提供する。フィードバックは、ある人のコンテンツの使用に関するデータを含む。その結果、システム２００はそのコンテンツに対するその人の興味のレベルを決定できるし、また、多数のユーザの興味の傾向も知ることができる。このようにして、システム２００は、コンテンツを拡張し、改善することができる。例えば、システム２００がユーザに映画を見る機会を与え、大抵のユーザはアクション映画を選ぶと仮定する。したがって、多くのユーザのために、システム２００は、アクション映画を見る機会を与える傾向になるであろう。しかし、ジョン・ドウは何度かシステム２００のユーザになったことがあり、一度たりともアクション映画を選ばず、代わりに、フランス語の自然ドキュメンタリーを選んだと仮定する。したがって、ジョン・ドウのために、システム２００は、アクション映画を提供する傾向にはなく、フランス語の自然ドキュメンタリーを提供する傾向にある。使用に関するフィードバックは、特定の人に対する特定の申し出の質を改善し続ける、繰り返しの終わりのないプロセスである。
【００８７】
配達手段処理２８５は、特定または不特定の視聴者へのコンテンツの配達を管理する。配達は、ある時、視聴者が拘束されている場所で発生する。配達手段処理２８５は、配達現場処理２７５からデータを受け取る。更に、配達手段処理２８５は、ユーザ・インターフェイス選択、電子的または物理的選択、プロファイル・スキーマ、クレジットカードおよびその他の財政状況、そして命令とデータを伝送する外部装置（例えば、携帯電話、ゲームパッド）からの入力を受け取る。配達手段処理２８５は、表３０に記載された作業を実行し、表３１に記載された出力を提供する。
【００８８】
【表３４】
2008546074.tif 000036
【００８９】
【表３５】
2008546074.tif 000037
【００９０】
配達手段処理２８５は、また、コンテンツを配達場所に配達する。図２は、３つの配達場所、すなわち、２９６，２９６Ａ、２９６Ｂを示している。配達場所２９６，２９６Ａ，２９６Ｂの各々は、劇場、事務所、または、自動車、バス、列車、飛行機、船などの人間移動手段のような適切な場所である。
【００９１】
配達場所２９６Ａ、２９６Ｂは各々電子的住所を有する表示装置、例えば、コンピュータ端末、すなわち、インターネット２９９からインターネット・ストリーム２９８Ａ，２９８Ｂをそれぞれ受け取る、表示装置２９７Ａ、２９７Ｂをそれぞれ備えている。更に特定すれば、インターネット・ストリーム２９８Ａは、配達場所２９６Ａで表示装置２９７Ａにポータル２９７Ａを介して届けられ、配達場所２９６Ｂで表示装置２９７Ｂにポータル２９７Ｂを介して届けられる。ポータル２９２Ａは制御ソフトウエア２９４Ａを有し、ポータル２９２Ｂは制御ソフトウエア２９４Ｂを有している。
【００９２】
表示装置２９２Ｂおよび制御ソフトウエア２９４Ｂはそれぞれ表示装置２９２Ａおよび制御ソフト２９４Ａと同じように動作する。下記では、表示装置２９２Ａおよび制御ソフトウエア２９４Ａについて記載するが、表示装置２９２Ｂおよび制御ソフトウエア２９４Ｂも同じように動作することは理解できる。
【００９３】
表示装置２９７Ａは（ａ）配達場所２９６Ａの運営者のよって提供される、すなわち、航空会社が乗客のために表示装置を提供するか、又は（ｂ）表示装置２９７Ａの使用者によって提供される、すなわち、乗客がラップトップ・コンピュータを持ち込む。表示装置２９７Ａの使用者は、ＴＣＰ／ＩＰ住所を介して、または他の電子的基準、ログオンを介して、自己の表示装置の住所を自己宣言する。例えば、乗客は航空機の座席においてインターネット２９９に電子装置を接続したとき、乗客はインターネット・プロバイダーにとって、それ以前には知られていない。ログオンすることによって、乗客はＴＣＰ／ＩＰ住所のような電子的住所を介して、自己の識別を自己宣言する。
【００９４】
ポータル２９２Ａは、コンテンツを変化させる、消去する又はユーザ独自のものに特化するコンテンツに入れ替えることを含むように、飛行機の搭乗中に、インターネット・ストリーム２９８Ａ上のコンテンツの流れを修正することができる。更に特定すれば、制御ソフトウエア２９４Ａは、インターネット・ストリーム２９８Ａからの通常の流れの情報パケットを中抜きし、そして、ユーザ独自のものに特化した、システム２００からのコンテンツを供給するために、通常の流れの情報パケットの一部又は全部を変化又は入替をする。ユーザがインターネット２９９にアクセスするために費用がかかる場合は、ポータル制御ソフトウエア２９４Ａは、コンテンツ所有者又はコンテンツ配給者によって支払われる料金を介してインターネット閲覧時間を援助することにより、その費用を低減する。
【００９５】
ポータル２９２Ａと２９２Ｂは、互いに同じような動作をするが、それらは互いに独立であり、各ユーザの個人に特化したコンテンツを提供する。例えば、場所２９６Ａが或る飛行機の第１の座席であり、場所２９６Ｂが同じ飛行機の第２の座席であると仮定する。更に、表示装置２９７Ａのユーザと表示装置２９７Ｂのユーザは両人ともインターネット経由で放送されている映画を見ており、そして広告が間に入る予定であると仮定する。システム２００は、各個人のユーザのためにコンテンツ特化しているので、ポータル２９２Ａはソフトドリンクのブランドの広告を間に入れて、一方、ポータル２９２Ｂはビールのブランドの広告を間に入れる。
【００９６】
システム２００の他の実施例として、システム２００は、自動セールス・プロセッサー２３８を有していても良い。コンテンツ・プロバイダー、例えば、コンテンツ・プロバイダー２３０Ａが、自動セールス・プロセッサー２３８にアクセスする。そして、自動セールス・プロセッサー２３８は、コンテンツ・プロバイダー２３０Ａが広告を掲載することを可能にさせるところのオプションのあるメニューを提供する。コンテンツ・プロバイダー２３０Ａは、掲載の決断をするための、費用または掲載期間のようなオプションを選択し、自動セールス・プロセッサー２３８に選択されたオプションを申し出る。自動セールス。プロセッサー２３８は、分析し、計算し、コンテンツ・プロバイダー２３０Ａに選択されたオプションに関して適切な応答を提供するために、システム２００の他のコンポーネントにアクセスする。例えば、選択されたオプションに基づいて、自動セールス・プロセッサー２３８は、コンテンツ・プロバイダー２３０Ａに対し、（ａ）１００人なら１００ドル、（ｂ）５００人なら４００ドル、（ｃ）１０００人なら７００ドルである広告の提供の中から選択するように促す。コンテンツ・プロバイダー２３０Ａは応答を選択し、そして、配達のため、保存および準備するために、送信のためのデータベース２５０からデータベース２５５および２６０へ広告データ・ファイルをアップロードする。同時に、コンテンツ・プロバイダー２３０Ａは、広告決定の契約条件を受け入れ、契約を結ぶため、自動セールス・プロセッサー２３８へ、電子的な受諾を申し出る。契約の条件の例として、（ａ）システム２００のオペレータが１００人の視聴者に対する広告を提供することに合意し、（ｂ）コンテンツ・プロバイダー２３０Ａは１００ドル支払うことに同意する、などである。それで、自動セールス・プロバイダー２３８は、電子的ビジネス・ルールとして契約条件を、財政的ロギングのためのアカウンティング・データベース２６５および実行のためのデータベース２３５へ契約条件を送る。
【００９７】
例えば、コンテンツ・プロバイダー２３０Ａは、テレビ又はその他の表示装置のための広告を準備している広告代理店であると仮定する。その広告代理店が、例えば、インターネット・ブラウザを介して、システム２００へ接続し、広告を出すことおよび価格のオプションを決定するために、インターネットのページを介して自動セールス・プロセッサー２３８へアクセスする。インターフェイスのページは、広告代理店に対し、広告場所のオプションを提供し、更には、特定のデータ、例えば、（以下には限定されない）予算、視聴者条件、個人用に特定化するときの要件、視聴者の規模、期間、場所および価格を入力するための、広告代理店のためのオプションを提供する。それで、システム２００は、そのデータを分析し、広告を掲載するためのオプションを提供する。オプションの例としては、ニューヨークからロスアンゼルスまでのフライトで乗客一人当たり１ドルかかる広告であって、２週間流される広告であるという例である。広告代理店はそのオプションを選択するかもしれないし、代わりに、異なるオプション、例えば、もっと長期間、異なった視聴者、または異なる価格のようなオプションのための色々な要件をインプットするかもしれない。選択肢を選択した後に、広告代理店は、広告データ・ファイル、すなわち広告を、アップロード、スケジューリング、配信、そして究極には視聴するために、システム２２０へ入力する。
【００９８】
ここに記載した技術は、一例であり、本発明に如何なる限定を加えるものとして解釈されるべきではない。当業者が、色々な変形、組み合わせ、修正を思いつくことは理解されるべきである。本発明は、許可されたクレームの範囲内に入る、全ての変更、修正、バリエーションを含むものであることを意図としている。
【図面の簡単な説明】
【００９９】
【図１】図１は、目標とする受け手に目的のコンテンツを配達するために提供されるシステムのブロックダイアグラムである。
【図２】図２は、目標とする受け手に目的のコンテンツを配達するために提供される別のシステムのブロックダイアグラムである。
【図１】
2008546074.tif 000038
【図２】
2008546074.tif 000039